(57)【要約】      （修正有）【課題】空気を濾過し且つ濾過過程で殺菌効果を達成する空気清浄機の提供。【解決手段】円形筒形のケース１及び円形溝状のベース２を具え、ケース上面及び底縁表面に複数の気孔１１，１２が設けられ、ケース内に下から上に順に複数層のフィルタ筒３、軸流ファン５、直立式紫外線殺菌ランプ８及び鏡面反射片が設けられ、空気を複数層のフィルタ筒で濾過した後、紫外線殺菌ランプで空気中の細菌を殺し、空気清浄の作用を構成し、且つ反射片の多角度反射により殺菌の効果を高めている。【選択図】図１
0003104696.tif 000002
【実用新案登録請求の範囲】
【請求項１】
円形筒体とされ、その底縁表面に複数の入気孔が設けられ、上面に複数の出気孔が設けられたケースと、
中央に円柱が凸設され、底部に車輪が設けられたベースと、
中心に円孔が設けられてベースの円柱に嵌合された複数層のフィルタ筒と、
複数層のフィルタ筒の上方に設けられ、電気ボックスの螺子止めに供される複数の垂直な固定柱が設けられた固定板と、
固定板の上方に設けられた軸流ファンと、
断面がＵ状を呈し、その垂直部より外向きに水平に延伸部が延伸され、水平部及び延伸部にそれぞれ固定孔が設けられた固定フレームと、
固定フレームの延伸部に螺子止めされた紫外線殺菌ランプと、
断面が略Ｕ状を呈してケース上方のフランジに螺子止めされる遮蔽板と、
遮蔽板の底面、及びフランジ上方のケースの内縁面に貼り付けられた鏡面反射片と、
を具えたことを特徴とする、空気清浄機。
【考案の詳細な説明】
【技術分野】
【０００１】
本考案は空気を濾過し且つ濾過過程で殺菌効果を達成する空気清浄機の構造に関するものである。
【背景技術】
【０００２】
空気清浄機には、空気を濾過して清浄とするほか殺菌の効果を有するものがある。しかし、その構造は比較的複雑で製造コストが高くつき、このため製品の競争力が低くなり、理想的でない。
【考案の開示】
【考案が解決しようとする課題】
【０００３】
本考案の主要な目的は、一種の空気清浄機を提供することにあり、それは、空気の濾過と殺菌の機能を併せ持ち、且つ組立、製造のコストを下げられる構造を有するものとする。
【課題を解決するための手段】
【０００４】
請求項１の考案は、
円形筒体とされ、その底縁表面に複数の入気孔が設けられ、上面に複数の出気孔が設けられたケースと、
中央に円柱が凸設され、底部に車輪が設けられたベースと、
中心に円孔が設けられてベースの円柱に嵌合された複数層のフィルタ筒と、
複数層のフィルタ筒の上方に設けられ、電気ボックスの螺子止めに供される複数の垂直な固定柱が設けられた固定板と、
固定板の上方に設けられた軸流ファンと、
断面がＵ状を呈し、その垂直部より外向きに水平に延伸部が延伸され、水平部及び延伸部にそれぞれ固定孔が設けられた固定フレームと、
固定フレームの延伸部に螺子止めされた紫外線殺菌ランプと、
断面が略Ｕ状を呈してケース上方のフランジに螺子止めされる遮蔽板と、
遮蔽板の底面、及びフランジ上方のケースの内縁面に貼り付けられた鏡面反射片と、
を具えたことを特徴とする、空気清浄機としている。
【考案の効果】
【０００５】
総合すると、本考案は紫外線殺菌ランプ、フィルタ筒及び反射片を具え、空気清浄と殺菌の効果を達成し、実用的な設計であり、新規性を具備し、実用新案登録の要件を具備している。
【考案を実施するための最良の形態】
【０００６】
本考案の空気清浄機は、円形筒形のケース及び円形溝状のベースを具え、ケース上面及び底縁表面に複数の気孔が設けられ、ケース内に下から上に順に複数層のフィルタ筒、軸流ファン、直立式紫外線殺菌ランプ及び鏡面反射片が設けられ、空気を複数層のフィルタ筒で濾過した後、紫外線殺菌ランプで空気中の細菌を殺す。
【０００７】
本考案の空気清浄機は、上記複数層のフィルタ筒がベースに嵌め置かれ、フィルタ筒の上方に固定板が設けられ、軸流ファンが該固定板に固定され、該固定板に複数の垂直固定柱が設けられ、電気ボックスの固定に供され、該電気ボックスの両側に直立し間隔配列された複数の紫外線殺菌ランプが設けられる。
【０００８】
本考案の空気清浄機は、上述のケースの上方にフランジが設けられ、逆Ｕ状の遮蔽板の螺子止めに供され、並びに該遮蔽板の底面及びフランジ上方のケース内縁に鏡面反射片が貼り付けられ、反射片の屈折により紫外線殺菌ランプの殺菌効果が高められる。
【実施例１】
【０００９】
図１、２、３に示されるように、本考案は円形筒形のケース１及び円形溝状のベース２、複数層のフィルタ筒３、固定板４、軸流ファン５、電気ボックス６、固定フレーム７、紫外線殺菌ランプ８及び遮蔽板９を具えている。
【００１０】
該ケース１は円形筒体とされ、その底縁表面に複数の入気孔１１が設けられ、上面に複数の出気孔１２を具えている。
【００１１】
該ベース２は、その中央に円柱２１が凸設され、フィルタ筒３の中心円孔３１が嵌合され、底部に車輪が設けられている。
【００１２】
該固定板４は、複数層のフィルタ筒３の上方に設けられ、電気ボックス６の螺子止めに供される複数の垂直な固定柱４１が設けられている。
【００１３】
該軸流ファン５は固定板４の上方に設けられる。
【００１４】
該固定フレーム７は、Ｕ状を呈し、その垂直部が外向きに水平に延伸され、該固定フレーム７の水平部７１及び延伸部７２にそれぞれ固定孔７１１、７２１が設けられ、電気ボックス６が水平部７１に螺子止めされ、且つ紫外線殺菌ランプ８が該延伸部７２に螺子止めされて電気ボックス６の両側において直立に間隔配列され、並びに各紫外線殺菌ランプ８の外部が透明カバー８１で被覆される。
【００１５】
該遮蔽板９は、ケース１の上方に設けられ、ケース１の上方内縁にフランジ１３が設けられ、逆Ｕ状を呈する遮蔽板９が該フランジ１３に螺子止めされ紫外線殺菌ランプ８が遮蔽板９の下方に置かれ、並びに遮蔽板９の底面及びフランジ１３の上方のケース１の内縁面に鏡面反射片９１が貼り付けられている。
【００１６】
以上の部品が組み合わされて空気清浄機１００が構成されている。空気は入気孔１１より進入した後、複数層のフィルタ筒３により濾過され、さらに紫外線殺菌ランプ８で空気中の細菌が殺され、濾過後の空気が出気孔１２より放出される。そのうち、紫外線殺菌ランプ８の上方には遮蔽板９及び鏡面反射片９１が設けられ、紫外線殺菌ランプ８の光を多角度で反射し、これにより殺菌効果を高め、紫外線殺菌ランプ８を被覆する透明カバー８１が紫外線殺菌ランプ８が風を受けて冷却されるのを防止し、紫外線殺菌ランプの照射強度を高める。
【図面の簡単な説明】
【００１７】
【図１】本考案の立体分解図である。
【図２】本考案の紫外線殺菌ランプの組み付けを示す分解図である。
【図３】本考案の断面図である。
【符号の説明】
【００１８】
１  ケース      １１  入気孔        １２  出気孔      １３  フランジ
２  ベース      ２１  円柱          ３  フィルタ筒    ３１  円孔
４  固定板      ４１  固定柱        ５  軸流ファン    ６  電気ボックス
７  固定フレーム  ７１  水平部      ７１１  固定孔    ７２  延伸部
７２１  固定孔    ８  紫外線殺菌ランプ          ８１  透明カバー
９  遮蔽板        ９１  鏡面反射片              １００  空気清浄機
【図１】
0003104696.tif 000003
【図２】
0003104696.tif 000004
【図３】
0003104696.tif 000005